(57)【要約】  本開示の様々な態様は、一般にワイヤレス通信に関する。いくつかの態様では、ユーザ機器は、周波数において分散される第１のリソース要素にチャネル状態情報（ＣＳＩ）をマッピングすることと、ここにおいて、第１のリソース要素が、アップリンク共有チャネル上で割り振られるリソースのセット中にあり、周波数において分散される第２のリソース要素にハイブリッド自動再送要求（ＨＡＲＱ）フィードバックをマッピングすることと、ここにおいて、第２のリソース要素が、リソースのセット中にあり、ここにおいて、第２のリソース要素が、ＨＡＲＱフィードバックのために予約され、第１のリソース要素とは異なり、マッピングに従って、アップリンク共有チャネル上でＣＳＩとＨＡＲＱフィードバックとを送信することとを行い得る。多数の他の態様が提供される。
2021503835.tif 000002
【特許請求の範囲】
【請求項１】
スロット中のアップリンク送信のための、ユーザ機器（ＵＥ）によって行われるワイヤレス通信の方法であって、
周波数において分散される第１のリソース要素にチャネル状態情報（ＣＳＩ）をマッピングすることと、ここにおいて、前記第１のリソース要素が、アップリンク共有チャネル上で割り振られるリソースのセット中にある、
周波数において分散される第２のリソース要素にハイブリッド自動再送要求（ＨＡＲＱ）フィードバックをマッピングすることと、ここにおいて、前記第２のリソース要素が、リソースの前記セット中にあり、
ここにおいて、前記第２のリソース要素が、前記ＨＡＲＱフィードバックのために予約され、前記第１のリソース要素とは異なる、
前記マッピングに従って、前記アップリンク共有チャネル上で前記ＣＳＩと前記ＨＡＲＱフィードバックとを送信することと
を備える、方法。
【請求項２】
位相追跡基準信号を備える１つまたは複数のリソース要素が、前記第１のリソース要素から除外される、請求項１に記載の方法。
【請求項３】
前記第１のリソース要素と前記第２のリソース要素とが、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、請求項１に記載の方法。
【請求項４】
前記ＣＳＩをマッピングすることおよび前記ＨＡＲＱフィードバックをマッピングすることが、周波数第１、時間第２の様式で行われる、請求項１に記載の方法。
【請求項５】
前記第１のリソース要素と前記第２のリソース要素とは、前記ＨＡＲＱフィードバックが前記ＣＳＩをパンクチャしないように直交する、請求項１に記載の方法。
【請求項６】
前記第２のリソース要素が、前記スロット中で復調基準信号（ＤＭＲＳ）に続く、請求項１に記載の方法。
【請求項７】
前記ＨＡＲＱフィードバックが、前記アップリンク共有チャネルのデータシンボルをパンクチャする、請求項１に記載の方法。
【請求項８】
レートマッチングが、前記ＣＳＩと前記ＨＡＲＱフィードバックとのために使用される、請求項１に記載の方法。
【請求項９】
ワイヤレス通信のためのユーザ機器（ＵＥ）であって、
メモリと、
前記メモリに結合された１つまたは複数のプロセッサと
を備え、前記メモリおよび前記１つまたは複数のプロセッサは、
周波数において分散される第１のリソース要素にチャネル状態情報（ＣＳＩ）をマッピングすることと、ここにおいて、前記第１のリソース要素が、アップリンク共有チャネル上で割り振られるリソースのセット中にある、
周波数において分散される第２のリソース要素にハイブリッド自動再送要求（ＨＡＲＱ）フィードバックをマッピングすることと、ここにおいて、前記第２のリソース要素が、リソースの前記セット中にあり、
ここにおいて、前記第２のリソース要素が、前記ＨＡＲＱフィードバックのために予約され、前記第１のリソース要素とは異なる、
前記マッピングに従って、前記アップリンク共有チャネル上で前記ＣＳＩと前記ＨＡＲＱフィードバックとを送信することと
を行うように構成された、ユーザ機器（ＵＥ）。
【請求項１０】
位相追跡基準信号を備える１つまたは複数のリソース要素が、前記第１のリソース要素から除外される、請求項９に記載のＵＥ。
【請求項１１】
前記第１のリソース要素と前記第２のリソース要素とが、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、請求項９に記載のＵＥ。
【請求項１２】
前記ＣＳＩをマッピングすることおよび前記ＨＡＲＱフィードバックをマッピングすることが、周波数第１、時間第２の様式で行われる、請求項９に記載のＵＥ。
【請求項１３】
前記第１のリソース要素と前記第２のリソース要素とは、前記ＨＡＲＱフィードバックが前記ＣＳＩをパンクチャしないように直交する、請求項９に記載のＵＥ。
【請求項１４】
前記第２のリソース要素が、前記アップリンク共有チャネルの基準信号の後にマッピングされる、請求項９に記載のＵＥ。
【請求項１５】
前記ＨＡＲＱフィードバックが、前記アップリンク共有チャネルのデータシンボルをパンクチャする、請求項９に記載のＵＥ。
【請求項１６】
レートマッチングが、前記ＣＳＩと前記ＨＡＲＱフィードバックとのために使用される、請求項９に記載のＵＥ。
【請求項１７】
ワイヤレス通信のためのユーザ機器（ＵＥ）であって、
符号化された通信を生成するためにアップリンク制御情報（ＵＣＩ）とアップリンク共有チャネルとを符号化するためのエンコーダ構成要素と、ここにおいて、前記ＵＣＩが、チャネル状態情報（ＣＳＩ）またはハイブリッド自動再送要求（ＨＡＲＱ）フィードバックのうちの少なくとも１つを含む、
前記符号化された通信をキャリア信号上に変調するための変調器構成要素と、
前記アップリンク共有チャネルのリソース要素に前記ＵＣＩをマッピングするためのＵＣＩマッパ構成要素と、
ここにおいて、前記ＣＳＩが、前記リソース要素のうちの第１のリソース要素にマッピングされ、
ここにおいて、前記ＨＡＲＱフィードバックが、前記リソース要素のうちの第２のリソース要素にマッピングされ、
ここにおいて、前記第２のリソース要素が、前記ＨＡＲＱフィードバックのために予約され、前記第１のリソース要素とは異なる、
前記アップリンク共有チャネルの離散フーリエ変換（ＤＦＴ）拡散を行うためのＤＦＴ構成要素と、
出力信号のサブバンドに前記ＤＦＴ拡散の出力をマッピングするためのサブバンドマッピング構成要素と、
前記出力信号に対して逆高速フーリエ変換（ＩＦＦＴ）を行うためのＩＦＦＴ構成要素と、
前記出力信号を送信するための送信機構成要素と
を備える、ユーザ機器（ＵＥ）。
【請求項１８】
前記第２のリソース要素が、前記アップリンク共有チャネルの基準信号の後にマッピングされる、請求項１７に記載のＵＥ。
【請求項１９】
前記第１のリソース要素が周波数において分散される、請求項１７に記載のＵＥ。
【請求項２０】
前記ＨＡＲＱフィードバックが、前記アップリンク共有チャネルのデータシンボルをパンクチャする、請求項１７に記載のＵＥ。
【請求項２１】
レートマッチングが、前記ＣＳＩと前記ＨＡＲＱフィードバックとのために使用される、請求項１７に記載のＵＥ。
【請求項２２】
位相追跡基準信号を備える１つまたは複数のリソース要素が、前記第１のリソース要素から除外される、請求項１７に記載のＵＥ。
【請求項２３】
前記第１のリソース要素と前記第２のリソース要素とが、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、請求項１７に記載のＵＥ。
【請求項２４】
前記ＣＳＩをマッピングすることおよび前記ＨＡＲＱフィードバックをマッピングすることが、周波数第１、時間第２の様式で行われる、請求項１７に記載のＵＥ。
【請求項２５】
前記第１のリソース要素と前記第２のリソース要素とは、前記ＨＡＲＱフィードバックが前記ＣＳＩをパンクチャしないように直交する、請求項１７に記載のＵＥ。
【請求項２６】
ワイヤレス通信のための装置であって、
周波数において分散される第１のリソース要素にチャネル状態情報（ＣＳＩ）をマッピングするための手段と、ここにおいて、前記第１のリソース要素が、アップリンク共有チャネル上で割り振られるリソースのセット中にある、
周波数において分散される第２のリソース要素にハイブリッド自動再送要求（ＨＡＲＱ）フィードバックをマッピングするための手段と、ここにおいて、前記第２のリソース要素が、リソースの前記セット中にあり、
ここにおいて、前記第２のリソース要素が、前記ＨＡＲＱフィードバックのために予約され、前記第１のリソース要素とは異なる、
前記マッピングに従って、前記アップリンク共有チャネル上で前記ＣＳＩと前記ＨＡＲＱフィードバックとを送信するための手段と
を備える、装置。
【請求項２７】
位相追跡基準信号を備える１つまたは複数のリソース要素が、前記第１のリソース要素から除外される、請求項２６に記載の装置。
【請求項２８】
前記第１のリソース要素と前記第２のリソース要素とが、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、請求項２６に記載の装置。
【請求項２９】
前記ＣＳＩをマッピングすることおよび前記ＨＡＲＱフィードバックをマッピングすることが、周波数第１、時間第２の様式で行われる、請求項２６に記載の装置。
【請求項３０】
前記第１のリソース要素と前記第２のリソース要素とは、前記ＨＡＲＱフィードバックが前記ＣＳＩをパンクチャしないように直交する、請求項２６に記載の装置。
【請求項３１】
前記第２のリソース要素が、前記アップリンク共有チャネルの基準信号の後にマッピングされる、請求項２６に記載の装置。
【請求項３２】
前記ＨＡＲＱフィードバックが、前記アップリンク共有チャネルのデータシンボルをパンクチャする、請求項２６に記載の装置。
【請求項３３】
レートマッチングが、前記ＣＳＩと前記ＨＡＲＱフィードバックとのために使用される、請求項２６に記載の装置。
【請求項３４】
ワイヤレス通信のための１つまたは複数の命令を記憶する非一時的コンピュータ可読媒体であって、前記１つまたは複数の命令は、
ユーザ機器の１つまたは複数のプロセッサによって実行されたとき、前記ユーザ機器に、
周波数において分散される第１のリソース要素にチャネル状態情報（ＣＳＩ）をマッピングすることと、ここにおいて、前記第１のリソース要素が、アップリンク共有チャネル上で割り振られるリソースのセット中にある、
周波数において分散される第２のリソース要素にハイブリッド自動再送要求（ＨＡＲＱ）フィードバックをマッピングすることと、ここにおいて、前記第２のリソース要素が、リソースの前記セット中にあり、
ここにおいて、前記第２のリソース要素が、前記ＨＡＲＱフィードバックのために予約され、前記第１のリソース要素とは異なる、
前記マッピングに従って、前記アップリンク共有チャネル上で前記ＣＳＩと前記ＨＡＲＱフィードバックとを送信することと
を行わせる、１つまたは複数の命令を備える、非一時的コンピュータ可読媒体。
【請求項３５】
位相追跡基準信号を備える１つまたは複数のリソース要素が、前記第１のリソース要素から除外される、請求項３４に記載の非一時的コンピュータ可読媒体。
【請求項３６】
前記第１のリソース要素と前記第２のリソース要素とが、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、請求項３４に記載の非一時的コンピュータ可読媒体。
【請求項３７】
前記ＣＳＩをマッピングすることおよび前記ＨＡＲＱフィードバックをマッピングすることが、周波数第１、時間第２の様式で行われる、請求項３４に記載の非一時的コンピュータ可読媒体。
【請求項３８】
前記第１のリソース要素と前記第２のリソース要素とは、前記ＨＡＲＱフィードバックが前記ＣＳＩをパンクチャしないように直交する、請求項３４に記載の非一時的コンピュータ可読媒体。
【請求項３９】
前記第２のリソース要素が、前記アップリンク共有チャネルの基準信号の後にマッピングされる、請求項３４に記載の非一時的コンピュータ可読媒体。
【請求項４０】
前記ＨＡＲＱフィードバックが、前記アップリンク共有チャネルのデータシンボルをパンクチャする、請求項３４に記載の非一時的コンピュータ可読媒体。
【請求項４１】
レートマッチングが、前記ＣＳＩと前記ＨＡＲＱフィードバックとのために使用される、請求項３４に記載の非一時的コンピュータ可読媒体。
【発明の詳細な説明】
【技術分野】
【０００１】
米国特許法第１１９条に基づく関連出願の相互参照
[0001]  本出願は、参照により本明細書に明確に組み込まれる、２０１７年１１月１７日に出願された「TECHNIQUES AND APPARATUSES FOR CHANNEL STATE INFORMATION AND HYBRID AUTOMATIC REPEAT REQUEST FEEDBACK RESOURCE ALLOCATION IN 5G」と題する米国仮出願第６２／５８８，３０１号、および２０１８年１１月１５日に出願された「CHANNEL STATE INFORMATION AND HYBRID AUTOMATIC REPEAT REQUEST FEEDBACK RESOURCE ALLOCATION IN 5G」と題する米国非仮出願第１６／１９２，４８２号の優先権を主張する。
【０００２】
[0002]  本開示の態様は、一般にワイヤレス通信（wireless communication）に関し、より詳細には、５Ｇにおけるチャネル状態情報（ＣＳＩ：channel state information）およびハイブリッド自動再送要求（ＨＡＲＱ：hybrid automatic repeat request）フィードバック（feedback）のリソース割振り（resource allocation）のための技法および装置に関する。
【背景技術】
【０００３】
[0003]  ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力など）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。
【０００４】
[0004]  ワイヤレス通信ネットワークは、いくつかのユーザ機器（ＵＥ：user equipment）のための通信をサポートすることができるいくつかの基地局（ＢＳ）を含み得る。ユーザ機器（ＵＥ）は、ダウンリンクおよびアップリンクを介して基地局（ＢＳ：base station）と通信し得る。ダウンリンク（または順方向リンク）はＢＳからＵＥへの通信リンクを指し、アップリンク（または逆方向リンク）はＵＥからＢＳへの通信リンクを指す。本明細書でより詳細に説明されるように、ＢＳは、ノードＢ、ｇＮＢ、アクセスポイント（ＡＰ：access point）、ラジオヘッド、送信受信ポイント（ＴＲＰ：transmit receive point）、新無線（ＮＲ：new radio）ＢＳ、５ＧノードＢなどと呼ばれることがある。
【０００５】
[0005]  上記の多元接続技術は、異なるユーザ機器が都市、国家、地域、さらには地球規模で通信することを可能にする共通プロトコルを提供するために、様々な電気通信規格において採用されている。５Ｇと呼ばれることもある、新無線（ＮＲ）は、第３世代パートナーシッププロジェクト（３ＧＰＰ）によって公表されたＬＴＥモバイル規格の拡張のセットである。ＮＲは、スペクトル効率を改善すること、コストを下げること、サービスを改善すること、新しいスペクトルを利用すること、および、ダウンリンク（ＤＬ：downlink）上でサイクリックプレフィックス（ＣＰ：cyclic prefix ）を伴う直交周波数分割多重（ＯＦＤＭ）（ＣＰ−ＯＦＤＭ）を使用して、アップリンク（ＵＬ：uplink）上でＣＰ−ＯＦＤＭおよび／または（たとえば、離散フーリエ変換拡散ＯＦＤＭ（ＤＦＴ−ｓ−ＯＦＤＭ）としても知られる）ＳＣ−ＦＤＭを使用して、他のオープン規格とより良く統合すること、ならびに、ビームフォーミング、多入力多出力（ＭＩＭＯ）アンテナ技術、およびキャリアアグリゲーションをサポートすることによって、モバイルブロードバンドインターネットアクセスをより良くサポートするように設計されている。しかしながら、モバイルブロードバンドアクセスに対する需要が増加し続けるにつれて、ＬＴＥおよびＮＲ技術のさらなる改善が必要である。好ましくは、これらの改善は、他の多元接続技術と、これらの技術を採用する電気通信規格とに適用可能であるべきである。
【発明の概要】
【０００６】
[0006]  いくつかの態様では、スロット（slot）中のワイヤレス通信のための、ユーザ機器によって行われるワイヤレス通信の方法は、周波数（frequency）において分散（distribute）される第１のリソース要素（first resource element）にチャネル状態情報（ＣＳＩ）をマッピングする（map）ことと、ここにおいて、第１のリソース要素が、アップリンク共有チャネル（uplink shared channel）上で割り振られるリソースのセット（a set of resources）中にある、周波数において分散される第２のリソース要素（second resource element）にハイブリッド自動再送要求（ＨＡＲＱ）フィードバックをマッピングすることと、ここにおいて、第２のリソース要素が、リソースのセット中にあり、ここにおいて、第２のリソース要素が、ＨＡＲＱフィードバックのために予約（reserve）され、第１のリソース要素とは異なる、マッピングに従って、アップリンク共有チャネル上でＣＳＩとＨＡＲＱフィードバックとを送信することとを含み得る。
【０００７】
[0007]  いくつかの態様では、ワイヤレス通信のためのユーザ機器は、メモリ（memory）と、メモリに結合された１つまたは複数のプロセッサ（processor）とを含み得る。メモリおよび１つまたは複数のプロセッサは、周波数において分散される第１のリソース要素にチャネル状態情報（ＣＳＩ）をマッピングすることと、ここにおいて、第１のリソース要素が、アップリンク共有チャネル上で割り振られるリソースのセット中にある、周波数において分散される第２のリソース要素にハイブリッド自動再送要求（ＨＡＲＱ）フィードバックをマッピングすることと、ここにおいて、第２のリソース要素が、リソースのセット中にあり、ここにおいて、第２のリソース要素が、ＨＡＲＱフィードバックのために予約され、第１のリソース要素とは異なる、マッピングに従って、アップリンク共有チャネル上でＣＳＩとＨＡＲＱフィードバックとを送信することとを行うように構成され得る。
【０００８】
[0008]  いくつかの態様では、非一時的コンピュータ可読媒体（non-transitory computer-readable medium）は、ワイヤレス通信のための１つまたは複数の命令（instruction）を記憶し得る。１つまたは複数の命令は、ユーザ機器の１つまたは複数のプロセッサによって実行されたとき、１つまたは複数のプロセッサに、周波数において分散される第１のリソース要素にチャネル状態情報（ＣＳＩ）をマッピングすることと、ここにおいて、第１のリソース要素が、アップリンク共有チャネル上で割り振られるリソースのセット中にある、周波数において分散される第２のリソース要素にハイブリッド自動再送要求（ＨＡＲＱ）フィードバックをマッピングすることと、ここにおいて、第２のリソース要素が、リソースのセット中にあり、ここにおいて、第２のリソース要素が、ＨＡＲＱフィードバックのために予約され、第１のリソース要素とは異なる、マッピングに従って、アップリンク共有チャネル上でＣＳＩとＨＡＲＱフィードバックとを送信することとを行わせ得る。
【０００９】
[0009]  いくつかの態様では、ワイヤレス通信のための装置は、周波数において分散される第１のリソース要素にチャネル状態情報（ＣＳＩ）をマッピングするための手段と、ここにおいて、第１のリソース要素が、アップリンク共有チャネル上で割り振られるリソースのセット中にある、周波数において分散される第２のリソース要素にハイブリッド自動再送要求（ＨＡＲＱ）フィードバックをマッピングするための手段と、ここにおいて、第２のリソース要素が、リソースのセット中にあり、ここにおいて、第２のリソース要素が、ＨＡＲＱフィードバックのために予約され、第１のリソース要素とは異なる、マッピングに従って、アップリンク共有チャネル上でＣＳＩとＨＡＲＱフィードバックとを送信するための手段とを含み得る。
【００１０】
[0010]  態様は、概して、添付の図面および明細書を参照しながら本明細書で実質的に説明され、添付の図面および明細書によって示されるように、方法、装置、システム、コンピュータプログラム製品、非一時的コンピュータ可読媒体、基地局、ユーザ機器、ワイヤレス通信デバイス、および処理システムを含む。
【００１１】
[0011]  上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００１２】
[0012]  本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。異なる図面中の同じ参照番号は、同じまたは同様の要素を識別し得る。
【図面の簡単な説明】
【００１３】
【図１】[0013]  本開示の様々な態様による、ワイヤレス通信ネットワークの一例を概念的に示すブロック図。
【図２】[0014]  本開示の様々な態様による、ワイヤレス通信ネットワークにおいてユーザ機器（ＵＥ）と通信している基地局の一例２００を概念的に示すブロック図。
【図３Ａ】[0015]  本開示の様々な態様による、ワイヤレス通信ネットワークにおけるフレーム構造の一例を概念的に示すブロック図。
【図３Ｂ】[0016]  本開示の様々な態様による、ワイヤレス通信ネットワークにおける例示的な同期通信階層（synchronization communication hierarchy）を概念的に示すブロック図。
【図４】[0017]  本開示の様々な態様による、ノーマルサイクリックプレフィックス（normal cyclic prefix）をもつ例示的なサブフレームフォーマット（subframe format）を概念的に示すブロック図。
【図５】[0018]  本開示の様々な態様による、ダウンリンク（ＤＬ）中心サブフレーム（centric subframe）の一例を示す図。
【図６】[0019]  本開示の様々な態様による、アップリンク（ＵＬ）中心サブフレームの一例を示す図。
【図７Ａ】[0020]  本開示の様々な態様による、５ＧにおけるＰＵＳＣＨへのＵＣＩピギーバッキング（piggybacking）のためのリソース割振りの例を示す図。
【図７Ｂ】本開示の様々な態様による、５ＧにおけるＰＵＳＣＨへのＵＣＩピギーバッキングのためのリソース割振りの例を示す図。
【図８】[0021]  本開示の様々な態様による、５ＧにおけるＵＣＩピギーバッキングを伴うＰＵＳＣＨを送信するためのシステムの一例を示す図。
【図９】[0022]  本開示の様々な態様による、たとえば、ユーザ機器によって行われる例示的なプロセスを示す図。
【発明を実施するための形態】
【００１４】
[0023]  添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載された任意の数の態様を使用して装置が実装され得、または方法が実施され得る。さらに、本開示の範囲は、本明細書に記載された本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００１５】
[0024]  次に、様々な装置および技法を参照しながら電気通信システムのいくつかの態様が提示される。これらの装置および技法は、以下の発明を実施するための形態において説明され、（「要素（element）」と総称される）様々なブロック、モジュール、構成要素、回路、ステップ、プロセス、アルゴリズムなどによって添付の図面に示される。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００１６】
[0025]  本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得ることに留意されたい。
【００１７】
[0026]  図１は、本開示の態様が実施され得るネットワーク１００を示す図である。ネットワーク１００は、ＬＴＥネットワーク、あるいは、５ＧまたはＮＲネットワークなど、何らかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、およびＢＳ１１０ｄとして示される）と他のネットワークエンティティとを含み得る。ＢＳは、ユーザ機器（ＵＥ）と通信するエンティティ（entity）であり、基地局、ＮＲ  ＢＳ、ノードＢ、ｇＮＢ、５ＧノードＢ（ＮＢ）、アクセスポイント、送信受信ポイント（ＴＲＰ）などと呼ばれることもある。各ＢＳは、特定の地理的エリアに通信カバレージを与え得る。３ＧＰＰでは、「セル（cell）」という用語は、この用語が使用されるコンテキストに応じて、このカバレージエリア（coverage area）をサービスするＢＳおよび／またはＢＳサブシステムのカバレージエリアを指すことができる。
【００１８】
[0027]  ＢＳは、マクロセル、ピコセル、フェムトセル、および／または別のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａがマクロセル１０２ａのためのマクロＢＳであり得、ＢＳ１１０ｂがピコセル１０２ｂのためのピコＢＳであり得、ＢＳ１１０ｃがフェムトセル１０２ｃのためのフェムトＢＳであり得る。ＢＳは、１つまたは複数の（たとえば、３つの）セルをサポートし得る。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および「セル」という用語は、本明細書では互換的に使用され得る。
【００１９】
[0028]  いくつかの態様では、セルは必ずしも固定であるとは限らないことがあり、セルの地理的エリアは、モバイルＢＳのロケーションに従って移動することがある。いくつかの態様では、ＢＳは、任意の好適なトランスポートネットワークを使用して、直接物理接続、仮想ネットワークなど、様々なタイプのバックホールインターフェース（backhaul interface）を通して、互いに、および／あるいはアクセスネットワーク１００中の１つまたは複数の他のＢＳまたはネットワークノード（network node）（図示せず）に相互接続され得る。
【００２０】
[0029]  ワイヤレスネットワーク１００はまた、中継局を含み得る。中継局は、上流局（たとえば、ＢＳまたはＵＥ）からデータの送信を受信し、そのデータの送信を下流局（たとえば、ＵＥまたはＢＳ）に送ることができるエンティティである。中継局はまた、他のＵＥに対する送信を中継することができるＵＥであり得る。図１に示されている例では、中継局１１０ｄは、マクロＢＳ１１０ａとＵＥ１２０ｄとの間の通信を可能にするために、マクロＢＳ１１０ａおよびＵＥ１２０ｄと通信し得る。中継局は、リレーＢＳ、リレー基地局、リレー（relay）などと呼ばれることもある。
【００２１】
[0030]  ワイヤレスネットワーク１００は、異なるタイプのＢＳ、たとえば、マクロＢＳ、ピコＢＳ、フェムトＢＳ、リレーＢＳなどを含む異種ネットワークであり得る。これらの異なるタイプのＢＳは、異なる送信電力レベル、異なるカバレージエリア、およびワイヤレスネットワーク１００における干渉に対する異なる影響を有し得る。たとえば、マクロＢＳは、高い送信電力レベル（たとえば、５〜４０ワット）を有し得るが、ピコＢＳ、フェムトＢＳ、およびリレーＢＳは、より低い送信電力レベル（たとえば、０．１〜２ワット）を有し得る。
【００２２】
[0031]  ネットワークコントローラ１３０は、ＢＳのセットに結合し得、これらのＢＳの協調および制御を行い得る。ネットワークコントローラ１３０はバックホール（backhaul）を介してＢＳと通信し得る。ＢＳはまた、たとえば、ワイヤレスバックホールまたはワイヤラインバックホールを介して直接または間接的に互いと通信し得る。
【００２３】
[0032]  ＵＥ１２０（たとえば、１２０ａ、１２０ｂ、１２０ｃ）はワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスまたは医療機器、生体センサー／生体デバイス、ウェアラブルデバイス（スマートウォッチ、スマート衣類、スマートグラス、スマートリストバンド、スマートジュエリー（たとえば、スマートリング、スマートブレスレット））、エンターテインメントデバイス（たとえば、音楽デバイスまたはビデオデバイス、あるいは衛星ラジオ）、車両構成要素または車両センサー、スマートメーター／スマートセンサー、工業用製造機器、全地球測位システムデバイス、あるいはワイヤレス媒体またはワイヤード媒体を介して通信するように構成された任意の他の好適なデバイスであり得る。
【００２４】
[0033]  いくつかのＵＥは、マシンタイプ通信（ＭＴＣ：machine-type communication）ＵＥあるいは発展型または拡張マシンタイプ通信（ｅＭＴＣ：evolved or enhanced machine-type communication）ＵＥと見なされ得る。ＭＴＣ  ＵＥおよびｅＭＴＣ  ＵＥは、たとえば、基地局、別のデバイス（たとえば、リモートデバイス）、または何らかの他のエンティティと通信し得る、センサー、メーター、モニタ、ロケーションタグなど、ロボット、ドローン、リモートデバイスを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ：Internet-of-Things）デバイスと見なされ得、および／またはＮＢ−ＩｏＴ（狭帯域モノのインターネット）デバイスとして実装され得るとして実装され得る。いくつかのＵＥは、顧客構内機器（ＣＰＥ：Customer Premises Equipment）と見なされ得る。ＵＥ１２０は、プロセッサ構成要素、メモリ構成要素など、ＵＥ１２０の構成要素を格納するハウジング内に含まれ得る。
【００２５】
[0034]  概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され得る。
【００２６】
[0035]  いくつかの態様では、（たとえば、ＵＥ１２０ａおよびＵＥ１２０ｅとして示されている）２つまたはそれ以上のＵＥ１２０が、（たとえば、互いと通信するための媒介としてＢＳ１１０を使用せずに）１つまたは複数のサイドリンクチャネル（sidelink channel）を使用して、直接、通信し得る。たとえば、ＵＥ１２０は、ピアツーピア（Ｐ２Ｐ：peer-to-peer）通信、デバイスツーデバイス（Ｄ２Ｄ：device-to-device）通信、（たとえば、車両対車両（Ｖ２Ｖ：vehicle-to-vehicle）プロトコル、車両対インフラストラクチャ（Ｖ２Ｉ：vehicle-to-infrastructure）プロトコルなどを含み得る）車両対あらゆるモノ（Ｖ２Ｘ：vehicle-to-everything）プロトコル、メッシュネットワークなどを使用して通信し得る。この場合、ＵＥ１２０は、スケジューリング動作、リソース選択動作、および／またはＢＳ１１０によって行われるものとして本明細書の他の場所で説明される他の動作を行い得る。
【００２７】
[0036]  上記のように、図１は一例として与えられるにすぎない。他の例が可能であり、図１に関して説明されたものとは異なり得る。
【００２８】
[0037]  図２は、図１中の基地局のうちの１つであり得るＢＳ１１０および図１中のＵＥのうちの１つであり得るＵＥ１２０の設計のブロック図を示す。ＢＳ１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００２９】
[0038]  ＢＳ１１０において、送信プロセッサ２２０が、１つまたは複数のＵＥについてデータソース２１２からデータを受信し、ＵＥから受信されたチャネル品質インジケータ（ＣＱＩ：channel quality indicator）に少なくとも部分的に基づいて各ＵＥのための１つまたは複数の変調およびコーディング方式（ＭＣＳ：modulation and coding scheme）を選択し、そのＵＥのために選択された（１つまたは複数の）ＭＣＳに少なくとも部分的に基づいて各ＵＥのためのデータを処理（たとえば、符号化および変調）し、すべてのＵＥについてデータシンボル（data symbol）を与え得る。送信プロセッサ２２０はまた、（たとえば、半静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを与え得る。送信プロセッサ２２０はまた、基準信号（reference signal）（たとえば、セル固有基準信号（ＣＲＳ：cell-specific reference signal））および同期信号（たとえば、１次同期信号（ＰＳＳ：primary synchronization signal）および２次同期信号（ＳＳＳ：secondary synchronization signal））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を行い得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのための）それぞれの出力シンボルストリームを処理し得る。各変調器２３２は、さらに、ダウンリンク信号を取得するために、出力サンプルストリームを処理（たとえば、アナログに変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。以下でより詳細に説明される様々な態様によれば、同期信号は、追加情報を伝達するためにロケーション符号化を用いて生成され得る。
【００３０】
[0039]  ＵＥ１２０において、アンテナ２５２ａ〜２５２ｒが、ＢＳ１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、受信信号を調整（たとえば、フィルタ処理、増幅、ダウンコンバート、およびデジタル化）し得る。各復調器２５４は、さらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を行い、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、基準信号受信電力（ＲＳＲＰ：reference signal received power）、受信信号強度インジケータ（ＲＳＳＩ：received signal strength indicator）、基準信号受信品質（ＲＳＲＱ：reference signal received quality）、チャネル品質インジケータ（ＣＱＩ）などを決定し得る。
【００３１】
[0040]  アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備える報告のための）制御情報とを受信および処理し得る。送信プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＤＦＴ−ｓ−ＯＦＤＭ、ＣＰ−ＯＦＤＭなどのために）変調器２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。受信プロセッサ２３８は、復号されたデータをデータシンク２３９に与え、復号された制御情報をコントローラ／プロセッサ２４０に与え得る。ＢＳ１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３２】
[0041]  いくつかの態様では、ＵＥ１２０の１つまたは複数の構成要素は、ハウジング中に含まれ得る。ＢＳ１１０のコントローラ／プロセッサ２４０、ＵＥ１２０のコントローラ／プロセッサ２８０、および／または図２の（１つまたは複数の）任意の他の構成要素は、本明細書の他の場所でより詳細に説明されるように、５ＧにおけるＣＳＩおよびＨＡＲＱフィードバックのリソース割振りに関連する１つまたは複数の技法を行い得る。たとえば、ＢＳ１１０のコントローラ／プロセッサ２４０、ＵＥ１２０のコントローラ／プロセッサ２８０、および／または図２の（１つまたは複数の）任意の他の構成要素は、たとえば、図９のプロセス９００、および／または本明細書で説明される他のプロセスの動作を行いまたは指示し得る。メモリ２４２および２８２は、それぞれＢＳ１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００３３】
[0042]  いくつかの態様では、ＵＥ１２０は、周波数において分散される第１のリソース要素にチャネル状態情報（ＣＳＩ）をマッピングするための手段、ここにおいて、第１のリソース要素が、アップリンク共有チャネル上で割り振られるリソースのセット中にある、周波数において分散される第２のリソース要素にハイブリッド自動再送要求（ＨＡＲＱ）フィードバックをマッピングするための手段、ここにおいて、第２のリソース要素が、リソースのセット中にあり、ここにおいて、第２のリソース要素が、ＨＡＲＱフィードバックのために予約され、第１のリソース要素とは異なる、およびマッピングに従って、アップリンク共有チャネル上でＣＳＩとＨＡＲＱフィードバックとを送信するための手段などを含み得る。いくつかの態様では、そのような手段は、図２に関して説明されるＵＥ１２０の１つまたは複数の構成要素を含み得る。
【００３４】
[0043]  上記のように、図２は一例として与えられるにすぎない。他の例が可能であり、図２に関して説明されたものとは異なり得る。
【００３５】
[0044]  図３Ａは、電気通信システム（たとえば、ＮＲ）における周波数分割複信（ＦＤＤ）のための例示的なフレーム構造３００を示す。ダウンリンクおよびアップリンクの各々についての送信タイムラインは、無線フレームの単位に区分され得る。各無線フレームは、所定の持続時間を有し得、（たとえば、０〜Ｚ−１のインデックスをもつ）Ｚ（Ｚ≧１）個のサブフレームのセットへの区分であり得る。各サブフレームはスロットのセットを含み得る（たとえば、サブフレームごとの２つのスロットが図３Ａに示されている）。各スロットはＬ個のシンボル期間のセットを含み得る。たとえば、各スロットは、（たとえば、図３Ａに示されているような）７つのシンボル期間、１５個のシンボル期間などを含み得る。サブフレームが２つのスロットを含む場合、サブフレームは２Ｌ個のシンボル期間を含み得、ここで、各サブフレーム中の２Ｌ個のシンボル期間は、０〜２Ｌ−１のインデックスを割り当てられ得る。いくつかの態様では、ＦＤＤのためのスケジューリングユニットは、フレームベース、サブフレームベース、スロットベース、シンボルベースなどでよい。
【００３６】
[0045]  本明細書では、フレーム、サブフレーム、スロットなどに関していくつかの技法が説明されるが、これらの技法は、５Ｇ  ＮＲにおいて「フレーム」、「サブフレーム」、「スロット」などとは異なる用語を使用して参照され得る、他のタイプのワイヤレス通信構造に等しく適用され得る。いくつかの態様では、ワイヤレス通信構造は、ワイヤレス通信規格および／またはプロトコルによって定義される周期時間限定通信ユニット（periodic time-bounded communication unit）を指し得る。追加または代替として、図３Ａに示されているものとは異なる、ワイヤレス通信構造の構成が使用され得る。
【００３７】
[0046]  いくつかの電気通信（たとえば、ＮＲ）では、基地局は同期信号を送信し得る。たとえば、基地局は、基地局によってサポートされる各セルのためのダウンリンク上で、１次同期信号（ＰＳＳ）、２次同期信号（ＳＳＳ）などを送信し得る。ＰＳＳおよびＳＳＳは、セル探索および収集のためにＵＥによって使用され得る。たとえば、ＰＳＳは、シンボルタイミングを決定するためにＵＥによって使用され得、ＳＳＳは、基地局に関連付けられた物理セル識別子とフレームタイミングとを決定するためにＵＥによって使用され得る。基地局は、物理ブロードキャストチャネル（ＰＢＣＨ：physical broadcast channel）をも送信し得る。ＰＢＣＨは、ＵＥによる初期アクセスをサポートするシステム情報など、いくつかのシステム情報を搬送し得る。
【００３８】
[0047]  いくつかの態様では、基地局は、図３Ｂに関して以下で説明される、複数の同期通信（たとえば、同期信号（ＳＳ：synchronization signal）ブロック）を含む同期通信階層（たとえば、ＳＳ階層）に従って、ＰＳＳ、ＳＳＳ、および／またはＰＢＣＨを送信し得る。
【００３９】
[0048]  図３Ｂは、同期通信階層の一例である、例示的なＳＳ階層を概念的に示すブロック図である。図３Ｂに示されているように、ＳＳ階層は、複数のＳＳバースト（ＳＳバースト０〜ＳＳバーストＢ−１として識別され、ここで、Ｂは、基地局によって送信され得るＳＳバーストの最大繰返し数である）を含み得る、ＳＳバーストセットを含み得る。さらに示されているように、各ＳＳバーストは、１つまたは複数のＳＳブロック（ＳＳブロック０〜ＳＳブロック（ｂmax_SS-1）として識別され、ここで、ｂmax_SS-1は、ＳＳバーストによって搬送され得るＳＳブロックの最大数である）を含み得る。いくつかの態様では、異なるＳＳブロックは、別様にビームフォーミングされ得る。ＳＳバーストセットは、図３Ｂに示されているように、Ｘミリ秒ごとになど、ワイヤレスノードによって周期的に送信され得る。いくつかの態様では、ＳＳバーストセットは、図３ＢにＹミリ秒として示される、固定長または動的な長さを有し得る。
【００４０】
[0049]  図３Ｂに示されているＳＳバーストセットは、同期通信セットの一例であり、他の同期通信セットが、本明細書で説明される技法に関して使用され得る。さらに、図３Ｂに示されているＳＳブロックは、同期通信の一例であり、他の同期通信が、本明細書で説明される技法に関して使用され得る。
【００４１】
[0050]  いくつかの態様では、ＳＳブロックは、ＰＳＳ、ＳＳＳ、ＰＢＣＨ、ならびに／あるいは他の同期信号（たとえば、３次同期信号（ＴＳＳ：tertiary synchronization signal））および／または同期チャネルを搬送するリソースを含む。いくつかの態様では、複数のＳＳブロックがＳＳバースト中に含まれ、ＰＳＳ、ＳＳＳ、および／またはＰＢＣＨは、ＳＳバーストの各ＳＳブロックにわたって同じであり得る。いくつかの態様では、単一のＳＳブロックがＳＳバースト中に含まれ得る。いくつかの態様では、ＳＳブロックは、長さが少なくとも４つのシンボル期間であり得、ここで、各シンボルは、（たとえば、１つのシンボルを占有する）ＰＳＳ、（たとえば、１つのシンボルを占有する）ＳＳＳ、および／または（たとえば、２つのシンボルを占有する）ＰＢＣＨのうちの１つまたは複数を搬送する。
【００４２】
[0051]  いくつかの態様では、ＳＳブロックのシンボルは、図３Ｂに示されているように、連続する。いくつかの態様では、ＳＳブロックのシンボルは非連続である。同様に、いくつかの態様では、ＳＳバーストの１つまたは複数のＳＳブロックは、１つまたは複数のサブフレーム中に、連続する無線リソース（たとえば、連続するシンボル期間）中で送信され得る。追加または代替として、ＳＳバーストの１つまたは複数のＳＳブロックは、非連続無線リソース中で送信され得る。
【００４３】
[0052]  いくつかの態様では、ＳＳバーストは、バースト期間（burst period）を有し得、それにより、ＳＳバーストのＳＳブロックは、バースト期間に従って、基地局によって送信される。言い換えれば、ＳＳブロックは、各ＳＳバースト中に繰り返され得る。いくつかの態様では、ＳＳバーストセットは、バーストセット周期性（burst set periodicity）を有し得、それにより、ＳＳバーストセットのＳＳバーストは、固定バーストセット周期性に従って、基地局によって送信される。言い換えれば、ＳＳバーストは、各ＳＳバーストセット中に繰り返され得る。
【００４４】
[0053]  基地局は、いくつかのサブフレーム中の物理ダウンリンク共有チャネル（ＰＤＳＣＨ：physical downlink shared channel）上でシステム情報ブロック（ＳＩＢ：system information block）などのシステム情報を送信し得る。基地局は、サブフレームのＣ個のシンボル期間中に、物理ダウンリンク制御チャネル（ＰＤＣＣＨ：physical downlink control channel）上で制御情報／データを送信し得、ここで、Ｂは各サブフレームについて構成可能であり得る。基地局は、各サブフレームの残りのシンボル期間中に、ＰＤＳＣＨ上でトラフィックデータおよび／または他のデータを送信し得る。
【００４５】
[0054]  上記のように、図３Ａおよび図３Ｂは例として与えられている。他の例が可能であり、図３Ａおよび図３Ｂに関して説明されたものとは異なり得る。
【００４６】
[0055]  図４は、ノーマルサイクリックプレフィックスをもつ例示的なサブフレームフォーマット４１０を示す。利用可能な時間周波数リソース（time frequency resource）はリソースブロック（resource block）に区分され得る。各リソースブロックは、１つのスロット中のサブキャリア（subcarrier）へのセット（たとえば、１２個のサブキャリア）をカバーし得、いくつかのリソース要素（resource element）を含み得る。各リソース要素は、１つのシンボル期間中に（たとえば、時間的に）１つのサブキャリアをカバーし得、実数値または複素数値であり得る１つの変調シンボルを送るために使用され得る。いくつかの態様では、サブフレームフォーマット４１０は、本明細書で説明されるように、ＰＳＳ、ＳＳＳ、ＰＢＣＨなどを搬送するＳＳブロックの送信のために使用され得る。
【００４７】
[0056]  いくつかの電気通信システム（たとえば、ＮＲ）におけるＦＤＤのためのダウンリンクおよびアップリンクの各々について、インターレース構造が使用され得る。たとえば、０〜Ｑ−１のインデックスをもつＱ個のインターレースが定義され得、ここで、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ここで、ｑ∈｛０，．．．，Ｑ−１｝である。
【００４８】
[0057]  ＵＥは、複数のＢＳのカバレージ内に位置し得る。そのＵＥをサービスするために、これらのＢＳのうちの１つが選択され得る。サービングＢＳは、受信信号強度、受信信号品質、経路損失など、様々な基準に少なくとも部分的に基づいて選択され得る。受信信号品質は、信号対雑音干渉比（ＳＩＮＲ：ignal-to-noise-and-interference ratio）、または基準信号受信品質（ＲＳＲＱ：reference signal received quality）、または何らかの他のメトリックによって定量化され得る。ＵＥは、ＵＥが１つまたは複数の干渉ＢＳからの高い干渉を観測し得る支配的干渉シナリオにおいて動作し得る。
【００４９】
[0058]  本明細書で説明される例の態様は、ＮＲまたは５Ｇ技術に関連付けられ得るが、本開示の態様は、他のワイヤレス通信システムとともに適用可能であり得る。新無線（ＮＲ）は、（たとえば、直交周波数分割多元接続（ＯＦＤＭＡ）ベースエアインターフェース以外の）新しいエアインターフェース、または（たとえば、インターネットプロトコル（ＩＰ：Internet Protocol）以外の）固定トランスポートレイヤに従って動作するように構成された無線を指し得る。態様では、ＮＲは、アップリンク上で（本明細書ではサイクリックプレフィックスＯＦＤＭまたはＣＰ−ＯＦＤＭと呼ばれる）ＣＰを伴うＯＦＤＭおよび／またはＳＣ−ＦＤＭを利用し得、ダウンリンク上でＣＰ−ＯＦＤＭを利用し得、時分割複信（ＴＤＤ）を使用する半二重動作のサポートを含む。態様では、ＮＲは、たとえば、アップリンク上で（本明細書ではＣＰ−ＯＦＤＭと呼ばれる）ＣＰを伴うＯＦＤＭおよび／または離散フーリエ変換拡散直交周波数分割多重（ＤＦＴ−ｓ−ＯＦＤＭ：discrete Fourier transform spread orthogonal frequency-division multiplexing）を利用し得、ダウンリンク上でＣＰ−ＯＦＤＭを利用し得、ＴＤＤを使用する半二重動作のサポートを含む。ＮＲは、拡張モバイルブロードバンド（ｅＭＢＢ）サービスターゲッティング広帯域幅（たとえば、８０メガヘルツ（ＭＨｚ）以上）、ミリメートル波（ｍｍＷ）またはサブ６ＧＨｚ以上ターゲッティング高キャリア周波数（たとえば、２７ギガヘルツ（ＧＨｚ））、マッシブＭＴＣ（ｍＭＴＣ）ターゲッティング非後方互換ＭＴＣ技法、および／またはミッションクリティカルターゲッティング（mission critical targeting）超高信頼低レイテンシ通信（ＵＲＬＬＣ：ultra reliable low latency communications）サービスを含み得る。
【００５０】
[0059]  いくつかの態様では、１００ＭＨＺの単一のコンポーネントキャリア帯域幅が、サポートされ得る。ＮＲリソースブロックは、０．１ミリ秒（ｍｓ）持続時間にわたって６０または１２０キロヘルツ（ｋＨｚ）のサブキャリア帯域幅をもつ１２個のサブキャリアにわたり得る。各無線フレームは、１０ｍｓの長さをもつ４０個のサブフレームを含み得る。したがって、各サブフレームは、０．２５ｍｓの長さを有し得る。各サブフレームは、データ送信のためのリンク方向（たとえば、ＤＬまたはＵＬ）を示し得、各サブフレームのためのリンク方向は、動的に切り替えられ得る。各サブフレームは、ＤＬ／ＵＬデータならびにＤＬ／ＵＬ制御データを含み得る。
【００５１】
[0060]  ビームフォーミングがサポートされ得、ビーム方向が動的に構成され得る。プリコーディングを用いたＭＩＭＯ送信も、サポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームをもつマルチレイヤ送信が、サポートされ得る。複数のセルのアグリゲーションが、最高８つのサービングセルを用いてサポートされ得る。代替的に、ＮＲは、ＯＦＤＭベースインターフェース以外の異なるエアインターフェースをサポートし得る。ＮＲネットワークは、エンティティ、そのような中央ユニットまたは分散型ユニットを含み得る。
【００５２】
[0061]  上記のように、図４は一例として与えられている。他の例が可能であり、図４に関して説明されたものとは異なり得る。
【００５３】
[0062]  図５は、ＤＬ中心サブフレームまたはワイヤレス通信構造の一例を示す図５００である。ＤＬ中心サブフレームは制御部分５０２を含み得る。制御部分５０２は、ＤＬ中心サブフレームの初期部分または開始部分中に存在し得る。制御部分５０２は、ＤＬ中心サブフレームの様々な部分に対応する様々なスケジューリング情報および／または制御情報を含み得る。いくつかの構成では、制御部分５０２は、図５に示されているように、物理ＤＬ制御チャネル（ＰＤＣＣＨ：）であり得る。いくつかの態様では、制御部分５０２は、レガシーＰＤＣＣＨ情報、短縮ＰＤＣＣＨ（ｓＰＤＣＣＨ：shortened PDCCH）情報）、（たとえば、物理制御フォーマットインジケータチャネル（ＰＣＦＩＣＨ：physical control format indicator channel）上で搬送される）制御フォーマットインジケータ（ＣＦＩ：control format indicator）値、１つまたは複数の許可（たとえば、ダウンリンク許可、アップリンク許可など）などを含み得る。
【００５４】
[0063]  ＤＬ中心サブフレームは、ＤＬデータ部分５０４をも含み得る。ＤＬデータ部分５０４は、時々、ＤＬ中心サブフレームのペイロードと呼ばれることがある。ＤＬデータ部分５０４は、スケジューリングエンティティ（scheduling entity）（たとえば、ＵＥまたはＢＳ）から従属エンティティ（たとえば、ＵＥ）にＤＬデータを通信するために利用される通信リソースを含み得る。いくつかの構成では、ＤＬデータ部分５０４は、物理ＤＬ共有チャネル（ＰＤＳＣＨ）であり得る。
【００５５】
[0064]  ＤＬ中心サブフレームは、ＵＬショートバースト部分（short burst portion）５０６をも含み得る。ＵＬショートバースト部分５０６は、時々、ＵＬバースト、ＵＬバースト部分、共通ＵＬバースト、ショートバースト、ＵＬショートバースト、共通ＵＬショートバースト、共通ＵＬショートバースト部分、および／または様々な他の好適な用語で呼ばれることがある。いくつかの態様では、ＵＬショートバースト部分５０６は、１つまたは複数の基準信号を含み得る。追加または代替として、ＵＬショートバースト部分５０６は、ＤＬ中心サブフレームの様々な他の部分に対応するフィードバック情報を含み得る。たとえば、ＵＬショートバースト部分５０６は、制御部分５０２および／またはデータ部分５０４に対応するフィードバック情報を含み得る。ＵＬショートバースト部分５０６中に含まれ得る情報の非限定的な例は、肯定応答（ＡＣＫ）信号（たとえば、物理アップリンク制御チャネル（ＰＵＣＣＨ：physical uplink control channel）ＡＣＫ、物理アップリンク共有チャネル（ＰＵＳＣＨ：physical uplink shared channel）ＡＣＫ、即時ＡＣＫ）、否定ＡＣＫ（ＮＡＣＫ）信号（たとえば、ＰＵＣＣＨ  ＮＡＣＫ、ＰＵＳＣＨ  ＮＡＣＫ、即時ＮＡＣＫ）、スケジューリング要求（ＳＲ：scheduling request）、バッファステータス報告（ＢＳＲ：buffer status report）、ＨＡＲＱインジケータ、チャネル状態指示（ＣＳＩ）、チャネル品質インジケータ（ＣＱＩ）、サウンディング基準信号（ＳＲＳ：sounding reference signal）、復調基準信号（ＤＭＲＳ：demodulation reference signal）、ＰＵＳＣＨデータ、および／または様々な他の好適なタイプの情報を含む。ＵＬショートバースト部分５０６は、ランダムアクセスチャネル（ＲＡＣＨ：random access channel）プロシージャに関係する情報、スケジューリング要求、および様々な他の好適なタイプの情報など、追加または代替の情報を含み得る。
【００５６】
[0065]  図５に示されているように、ＤＬデータ部分５０４の終端は、ＵＬショートバースト部分５０６の始端から時間的に分離され得る。この時間分離（time separation）は、時々、ギャップ、ガード期間、ガードインターバル、および／または様々な他の好適な用語で呼ばれることがある。この分離は、ＤＬ通信（たとえば、従属エンティティ（たとえば、ＵＥ）による受信動作）からＵＬ通信（たとえば、従属エンティティ（たとえば、ＵＥ）による送信）への切替えのための時間を与える。上記はＤＬ中心ワイヤレス通信構造の一例にすぎず、同様の特徴を有する代替構造が、本明細書で説明される態様から必ずしも逸脱することなしに存在し得る。
【００５７】
[0066]  上記のように、図５は一例として与えられるにすぎない。他の例が可能であり、図５に関して説明されたものとは異なり得る。
【００５８】
[0067]  図６は、ＵＬ中心サブフレームまたはワイヤレス通信構造の一例を示す図６００である。ＵＬ中心サブフレームは制御部分６０２を含み得る。制御部分６０２は、ＵＬ中心サブフレームの初期部分または開始部分中に存在し得る。図６中の制御部分６０２は、図５を参照しながら上記で説明された制御部分５０２と同様であり得る。ＵＬ中心サブフレームは、ＵＬロングバースト部分（（long burst portion））６０４をも含み得る。ＵＬロングバースト部分６０４は、時々、ＵＬ中心サブフレームのペイロードと呼ばれることがある。ＵＬ部分は、従属エンティティ（たとえば、ＵＥ）からスケジューリングエンティティ（たとえば、ＵＥまたはＢＳ）にＵＬデータを通信するために利用される通信リソースを指し得る。いくつかの構成では、制御部分６０２は、物理ＤＬ制御チャネル（ＰＤＣＣＨ）であり得る。
【００５９】
[0068]  図６に示されているように、制御部分６０２の終端は、ＵＬロングバースト部分６０４の始端から時間的に分離され得る。この時間分離は、時々、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）への切替えのための時間を与える。
【００６０】
[0069]  ＵＬ中心サブフレームは、ＵＬショートバースト部分６０６をも含み得る。図６中のＵＬショートバースト部分６０６は、図５を参照しながら上記で説明されたＵＬショートバースト部分５０６と同様であり得、図５に関して上記で説明された情報のうちのいずれかを含み得る。上記はＵＬ中心ワイヤレス通信構造の一例にすぎず、同様の特徴を有する代替構造が、本明細書で説明される態様から必ずしも逸脱することなしに存在し得る。
【００６１】
[0070]  いくつかの状況では、２つまたはそれ以上の従属エンティティ（たとえば、ＵＥ）が、サイドリンク信号（sidelink signal）を使用して互いと通信し得る。そのようなサイドリンク通信の現実世界の適用例は、公共安全、近接サービス、ＵＥネットワーク間中継、車両間（Ｖ２Ｖ）通信、あらゆるモノのインターネット（ＩｏＥ：Internet of Everything）通信、ＩｏＴ通信、ミッションクリティカルメッシュ、および／または様々な他の好適な適用例を含み得る。概して、サイドリンク信号は、スケジューリングエンティティ（たとえば、ＵＥまたはＢＳ）が、スケジューリングおよび／または制御目的のために利用され得るが、スケジューリングエンティティを通してその通信を中継することなしに、ある従属エンティティ（たとえば、ＵＥ１）から別の従属エンティティ（たとえば、ＵＥ２）に通信される信号を指し得る。いくつかの態様では、サイドリンク信号は、（一般的に、無認可スペクトルを使用するワイヤレスローカルエリアネットワークとは異なり）認可スペクトルを使用して通信され得る。
【００６２】
[0071]  一例では、フレームなどのワイヤレス通信構造は、ＵＬ中心サブフレームとＤＬ中心サブフレームの両方を含み得る。この例では、フレーム中のＤＬ中心サブフレームに対するＵＬ中心サブフレームの比率は、送信されるＵＬデータの量（amount）およびＤＬデータの量に少なくとも部分的に基づいて動的に調整され得る。たとえば、より多くのＵＬデータがある場合、ＤＬ中心サブフレームに対するＵＬ中心サブフレームの比率は増加され得る。逆に、より多くのＤＬデータがある場合、ＤＬ中心サブフレームに対するＵＬ中心サブフレームの比率は減少され得る。
【００６３】
[0072]  上記のように、図６は一例として与えられるにすぎない。他の例が可能であり、図６に関して説明されたものとは異なり得る。
【００６４】
[0073]  ＵＥは、ＣＳＩおよび／またはＨＡＲＱフィードバックなど、アップリンク制御情報（ＵＣＩ：uplink control information）と、アップリンク共有チャネル（たとえば、物理アップリンク共有チャネル、またはＰＵＳＣＨ）など、アップリンクデータとを送信し得る。そのような送信のための１つの手法は、ＵＣＩを送信するためにアップリンク共有チャネルを使用することである。これは、アップリンク共有チャネルにＵＣＩをピギーバック（piggyback）することと呼ばれることがある。いくつかの態様では、ＵＥは、（たとえば、ＵＣＩが、２ビット超をもつＨＡＲＱフィードバックであるとき）アップリンク共有チャネル上でＵＣＩを送信するためにアップリンク共有チャネルのレートマッチング（rate matching）を行い得る。いくつかの態様では、ＵＥは、（たとえば、ＵＣＩが、１または２ビットをもつＨＡＲＱフィードバックであるとき）アップリンク共有チャネル上でＵＣＩを送信するためにアップリンク共有チャネルをパンクチャ（puncture）し得る。
【００６５】
[0074]  アップリンク共有チャネルにＵＣＩをピギーバックするとき、いくつかの課題が生じ得る。たとえば、あまりに多くのアップリンク共有チャネルリソースが、極めて近接してパンクチャされる場合、単一のコードブロック（ＣＢ：code block）がかなりパンクチャされ、それにより、アップリンク共有チャネルのスループットを減少させ得る。さらに、ＵＣＩリソースが、アップリンク共有チャネル中で極めて近接している場合、時間ダイバーシティが弱いことがあり、これは、高ドップラー効果シナリオなど、いくつかのシナリオでは、問題につながり得る。またさらに、ＨＡＲＱフィードバックがＣＳＩをパンクチャする場合、アップリンク共有チャネル性能が悪影響を及ぼされ得る。
【００６６】
[0075]  本明細書で説明されるいくつかの技法および装置は、ＣＳＩおよびＨＡＲＱフィードバックのためのアップリンク共有チャネルリソースの割振りを与える。たとえば、ＣＳＩのために割り振られたリソースは、ＨＡＲＱフィードバックのために割り振られたリソースとは異なり得、これは、ＨＡＲＱフィードバックによるＣＳＩのパンクチャリングをなくし、またはその逆も同様である。さらに、ＨＡＲＱフィードバックのためのリソースは、以下でより詳細に説明されるように、ラップアラウンド（wraparound）を伴う対角パターン（diagonal pattern）で割り振られ得、これは、時間および周波数ダイバーシティを改善し、アップリンク共有チャネル中で送信されるべきデータへの、ＨＡＲＱフィードバックリソース割振りの影響を低減する。またさらに、ＣＳＩは、以下でより詳細に説明されるように、周波数第１のマッピングルールを使用して割り振られ得、これは、ＣＳＩの周波数ダイバーシティを改善する。したがって、ＰＵＳＣＨへのＵＣＩのピギーバッキングが改善され、ＵＣＩの時間および周波数ダイバーシティが改善され、ＰＵＳＣＨへの影響が低減される。
【００６７】
[0076]  図７Ａおよび図７Ｂは、本開示の様々な態様による、５ＧにおけるＰＵＳＣＨへのＵＣＩピギーバッキングのためのリソース割振りの例７００を示す図である。図７Ａは、周波数ホッピング（frequency hopping）が使用されない例を示し、図７Ｂは、周波数ホッピングが使用される例を示す。図７Ａおよび図７Ｂは、アップリンク共有チャネルのリソースを示し、それらのリソースは、ＵＬロングバースト部分（たとえば、ＵＬロングバースト部分６０４）など、スロットのＵＬ領域に位置し得る。図７Ａおよび図７Ｂでは、グリッド（grid）の各矩形がリソース要素に対応する。たとえば、グリッドの各行が、周波数またはサブキャリア（たとえば、ＣＰ−ＯＦＤＭのためのサブキャリアまたはＤＦＴ−ｓ−ＯＦＤＭのための仮想サブキャリア）に対応し得、グリッドの各列がシンボルに対応し得る。したがって、対応するリソースに関して、グリッド中で右方に移動することは、時間を増加させ得、グリッド中で上方へ移動することは、周波数を増加させ得る。
【００６８】
[0077]  参照番号７０５によって示されているように、アップリンク共有チャネルは、復調基準信号（ＤＭＲＳ）として図７Ａに示されている第１の基準信号を含み得る。第１の基準信号は、アップリンク共有チャネルを復調する効率を改善するために、アップリンク共有チャネルの第１のシンボル中で与えられ得る。さらに示されているように、第１の基準信号は、アップリンク共有チャネルのシンボル全体を占有し得る。いくつかの態様では、第１の基準信号は、サウンディング基準信号または位相追跡基準信号（phase-tracking reference signal）など、別のタイプの基準信号であり得る。
【００６９】
[0078]  参照番号７１０によって示されているように、複数のＣＳＩ信号が、第１の基準信号に続くシンボル中でマッピングされ得る。たとえば、複数のＣＳＩ信号のうちの第１のＣＳＩが、第１の基準信号の直後のシンボル中でマッピングされ得る。これは、複数のＣＳＩ信号のうちの第１のＣＳＩのより早期の復号を可能にし得る。参照番号７１５によって示されているように、周波数ホッピングが使用されないとき、複数のＣＳＩ信号のうちの第２のＣＳＩが、複数のＣＳＩ信号のうちの第１のＣＳＩの直後のシンボルにマッピングされ得る。たとえば、および示されているように、第２のＣＳＩは、周波数において分散されるリソース要素（ＲＥ：resource element）にマッピングされ得る。
【００７０】
[0079]  いくつかの態様では、複数のＣＳＩ信号のマッピングは、以下の擬似コードに少なくとも部分的に基づき得、ここにおいて、
ｌは、（ＰＵＳＣＨのためのＤＭＲＳを含む）ＰＵＳＣＨ持続時間内のＯＦＤＭのインデックスであり、
ｋは、ＣＰ−ＯＦＤＭ波形のためのＰＵＳＣＨ  ＲＢ割当て内のサブキャリアのインデックス、またはＤＦＴ−Ｓ−ＯＦＤＭ波形のためのＰＵＳＣＨ  ＲＢ割当て内の仮想サブキャリアのインデックスであり、
Ｍlは、ＯＦＤＭシンボルｌにおける位相追跡基準信号を除くサブキャリアの数であり、
Ｍは、ＰＵＳＣＨ  ＲＢ割当て内の、位相追跡基準信号を含むサブキャリアの数であり、
ＱCSIは、ＣＳＩの変調されたシンボルの数であり、
ｑCSIは、マッピングされたＣＳＩシンボルの数のためのカウンタである。
１．初期化：ｋ＝０，ｌ＝０，ｑCSI＝０を設定する
２．ｑCSI＜ＱCSIである間
２．１．ＯＦＤＭシンボルｌがＤＭＲＳシンボルである場合
２．１．１．  ｌ＝ｌ＋１
２．２．他の場合
２．２．１．ＱCSI＜Ｍlである場合
２．２．１．１．
【００７１】
【数１】
2021503835.tif 000003
【００７２】
を設定する
２．２．２．他の場合
２．２．２．１．  ｄ＝１を設定する
２．２．３．終了
２．２．４．ＲＥ（ｋ，ｌ）がＰＴＲＳ  ＲＥである間
２．２．４．１．  ｋ＝ｋ＋１
２．２．５．終了
２．２．６．  ＣＳＩシンボルｑCSIをＲＥ（ｋ，ｌ）にマッピングする
２．２．７．  ｋ＝ｋ＋ｄ；ｑCSI＝ｑCSI＋１
２．２．８．ｋ＞Ｍである場合
２．２．８．１．  ｌ＝ｌ＋１
２．２．９．終了
２．３．終了
３．終了
【００７３】
[0080]  上記の擬似コードでは、ステップ２．１において、ＵＥ１２０は、ＣＳＩがＤＭＲＳと重複しないようにＣＳＩのロケーションを決定する。ステップ２．２．１および２．２．２において、ＵＥ１２０は、ＣＳＩ信号割振りのためのステップサイズ（ｄ）を決定する。ここで、ステップサイズ（step size）は、複数のＣＳＩ信号のシンボルの数が、位相追跡基準信号を含まないサブキャリアの数よりも大きいかまたはそれに等しいとき、１であると決定され、ＣＳＩ信号のシンボルの数が、位相追跡基準信号を含まないサブキャリアの数よりも小さいとき、Ｍl／ＱCSIの床（floor）であると決定される。ステップ２．２．４において、ＵＥ１２０は、位相追跡基準信号がＣＳＩ信号によってパンクチャされないように、位相追跡基準信号を含むリソース要素をスキップする。ステップ２．２．６〜２．２．８において、ＵＥ１２０は、ＣＳＩ信号を、増加する周波数リソースにマッピングする。たとえば、ＵＥ１２０は、物理共有チャネルの最低周波数リソースまたはサブキャリアにおいて開始し得、ＣＳＩ信号の各ＣＳＩを、増加する周波数またはサブキャリアにマッピングし得る。上記の擬似コードは一例として与えられるにすぎず、他の態様が本明細書で企図される。
【００７４】
[0081]  いくつかの態様では、ＵＥ１２０は、上記で説明されたように、周波数において分散される第１のリソース要素にＣＳＩをマッピングし得る。たとえば、第１のリソース要素は、ステップサイズｄに従って周波数において分散され得る。いくつかの態様では、上記で説明されたように、ステップサイズは１よりも大きくなり得る。いくつかの態様では、ステップサイズは、マッピングされるべきＣＳＩの量に少なくとも部分的に基づき得る。たとえば、上記のように、ステップサイズは、複数のＣＳＩ信号のシンボルの数が、位相追跡基準信号を含まないサブキャリアの数よりも大きいかまたはそれに等しいとき、１であると決定され、ＣＳＩ信号のシンボルの数が、位相追跡基準信号を含まないサブキャリアの数よりも小さいとき、Ｍl／ＱCSIの床であると決定される。ステップサイズの一例が、図７Ａ中のＣＳＩパート２（たとえば、参照番号７１５）に関して示されている。図７Ａでは、ＣＳＩパート１は、１のステップサイズを有し、ＣＳＩパート２は、３のステップサイズを有する。いくつかの態様では、これは、それについてＣＳＩパート１がマッピングされるべきであるＲＥの数、およびそれについてＣＳＩパート２がマッピングされるべきであるＲＥの数に少なくとも部分的に基づき得る。
【００７５】
[0082]  上記のアルゴリズムは、周波数第１、時間第２（frequency-first, time-second）のマッピングを与える。たとえば、ステップ２．２．８および２．２．８．１における条件文は、ｋがサブキャリアインデックスであり、Ｍがサブキャリアの総数であり、ｌがＯＦＤＭシンボルインデックスであるので、第１のシンボルのすべてのリソース要素が、第２のシンボルのリソース要素がマッピングされる前にマッピングされることを引き起こす。さらに、ステップ２．２．４および２．２．４．１におけるｗｈｉｌｅループは、位相追跡基準信号が、第１のリソース要素から除外されることを引き起こす。
【００７６】
[0083]  上記の擬似コードでは、および図７Ｂに関して以下で説明される擬似コードでは、ｋは必ずしも物理サブキャリアインデックスであるとは限らない。ｋからアップリンク帯域幅部分（ＢＷＰ：bandwidth part）中の物理サブキャリアインデックスへのマッピングは、周波数ホッピングが可能にされる場合、開始リソースブロック（ＲＢ：resource block）インデックスと周波数ホッピングオフセットとを考慮に入れ得る。また、図７Ａでは、第２のＣＳＩは、周波数領域において第１のＣＳＩよりも広い間隔を有する。これは、第２のＣＳＩの中間のリソース要素が位相追跡基準信号を含むから、または第１のＣＳＩよりも少数の第２のＣＳＩがあるからであり得る。
【００７７】
[0084]  参照番号７２０によって示されているように、複数のＨＡＲＱフィードバック信号が、アップリンク共有チャネルのシンボルおよびサブキャリアに関して対角パターンでマッピングされ得る。ＨＡＲＱフィードバック信号は、ＨＡＲＱ  ＡＣＫおよび／またはＨＡＲＱ  ＮＡＣＫを含み得る。たとえば、（参照番号７２０によって示されている）第１のＨＡＲＱフィードバック信号と（参照番号７２５によって示されている）第２のＨＡＲＱフィードバック信号とについて考える。わかるように、第２のＨＡＲＱフィードバック信号は、第１のＨＡＲＱフィードバック信号に関して、時間的に次のシンボルにマッピングされ、次のサブキャリアにマッピングされる。対角パターンでＨＡＲＱフィードバック信号をマッピングすることによって、ＨＡＲＱフィードバック信号の周波数および時間ダイバーシティが改善される。対角パターンでＨＡＲＱフィードバック信号をマッピングすることは、一例として与えられる。本明細書で説明される技法および装置は、複数のＨＡＲＱフィードバック信号をマッピングするために対角パターンが使用される技法および装置に限定されない。
【００７８】
[0085]  いくつかの態様では、ＨＡＲＱフィードバック信号は、ＣＳＩ信号のために使用されるリソース要素とは異なる（たとえば、そのリソース要素に直交する、そのリソース要素と重複しない、など）リソース要素にマッピングされ得る。たとえば、ＤＭＲＳは、アップリンク共有チャネルの第１のシンボルにマッピングされ得、ＣＳＩ信号は、アップリンク共有チャネルの第２および第３のシンボルにマッピングされ得、ＨＡＲＱフィードバック信号は、アップリンク共有チャネルのシンボルの残りにマッピングされ得る。別の例として、ＨＡＲＱフィードバックは、ＨＡＲＱフィードバックのために予約されるリソース要素にマッピングされ得、ＣＳＩは、ＨＡＲＱフィードバックのために予約されるリソース要素にマッピングされないことがある。これは、ＨＡＲＱフィードバック信号によるＣＳＩ信号のパンクチャリングを低減するか、またはなくし得る。
【００７９】
[0086]  さらに示されているように、いくつかの態様では、対角パターンは、アップリンク共有チャネルのスロット境界をラップアラウンドし得る。たとえば、対角パターンが、参照番号７３０によって示されている、アップリンク共有チャネルの１つのスロット境界に達したとき、対角パターンは、（アップリンク共有チャネルのＤＭＲＳまたはＣＳＩ領域に及ぶことなしに）参照番号７３５によって示されている、アップリンク共有チャネルの反対側のスロット境界にラップアラウンドし得る。これは、（参照番号７３０および７３５によって示されている）水平方向で、または（参照番号７４０および７４５によって示されている）垂直方向で行われ得る。
【００８０】
[0087]  いくつかの態様では、対角パターンは、基準信号に関連するリソースをスキップし得る。たとえば、および参照番号７５０によって示されているように、いくつかの態様では、第２のＤＭＲＳシンボルがアップリンク共有チャネル中に含まれ得る。そのような場合、対角パターンは、第２のＤＭＲＳシンボルをスキップし、次のシンボル中で再開し得る。
【００８１】
[0088]  図７Ｂは、周波数ホッピングを用いた、ＣＳＩおよびＨＡＲＱフィードバックのリソース割振りの一例を示す。第１の周波数ホップ（frequency hop）が参照番号７５５によって示されており、第２の周波数ホップが参照番号７６０によって示されている。示されているように、ＤＭＲＳシンボルが、第１の周波数ホップおよび第２の周波数ホップにおいて与えられ得る。
【００８２】
[0089]  参照番号７６５によって示されているように、周波数ホッピングが行われるとき、第１のＣＳＩが第１の周波数ホップにおいて与えられてよい。たとえば、周波数第１のリソース割振り技法は、上記でより詳細に説明されたように、第１のＣＳＩのためのリソースを割り振るために使用され得る。参照番号７７０によって示されているように、周波数ホッピングが行われるとき、第２のＣＳＩが第２の周波数ホップにおいて与えられ得る。たとえば、周波数第１のリソース割振り技法は、上記でより詳細に説明されたように、第２のＣＳＩのためのリソースを割り振るために使用され得る。
【００８３】
[0090]  参照番号７７５によって示されているように、周波数ホッピングを使用するとき、対角パターンは、ＤＭＲＳ信号のためのリソースを割り振るために使用され得る。この場合、対角パターンは、別個の周波数ホップに関してラップアラウンドしないことがある。言い換えれば、対角パターンは、（参照番号７８０によって示されている）第１の周波数ホップにおける第４の周波数リソースから、（参照番号７８５によって示されている）第２の周波数ホップにおける第５の周波数リソースに進み得る。
【００８４】
[0091]  いくつかの態様では、（たとえば、周波数ホッピングを用いるまたは用いない）対角パターンは、下記の擬似コードに従って決定され得、ここにおいて、
ｌは、（ＤＭＲＳを含む）ＰＵＳＣＨ持続時間内のＯＦＤＭシンボルのインデックスであり、
Ｌstartは、（ＣＳＩがＯＦＤＭシンボルＬstart−１を通してマッピングされると仮定すると）ＨＡＲＱフィードバックＲＥマッピングのための開始ＯＦＤＭシンボルであり、
Ｌendは、ＨＡＲＱフィードバックＲＥマッピングのために利用可能な終了ＯＦＤＭシンボルであり、
ｋは、ＣＰ−ＯＦＤＭ波形のためのＰＵＳＣＨ  ＲＢ割当て内のサブキャリアのインデックス、またはＤＦＴ−Ｓ−ＯＦＤＭ波形のためのＰＵＳＣＨ  ＲＢ割当て内の仮想サブキャリアのインデックスであり、
Ｍは、ＰＵＳＣＨ  ＲＢ割当て内の、位相追跡基準信号（ＰＴＲＳ）を含むサブキャリアの数であり、
ｄfは周波数（サブキャリア）方向におけるステップサイズであり、
ｄtは時間（シンボル）方向におけるステップサイズであり、
ＱACKは、ＨＡＲＱフィードバックの変調されたシンボルの数であり、
ｑACKは、マッピングされたＨＡＲＱフィードバックの変調されたシンボルの数のためのカウンタである。
１．初期化：ｋ＝０，ｌ＝０，ｑACK＝０を設定する
２．ｑACK＜ＱACKである間
２．１．
【００８５】
【数２】
2021503835.tif 000004
【００８６】
を設定する
２．２．ＲＥ（ｋ，ｌ）がＰＴＲＳ  ＲＥ、ＤＭＲＳ  ＲＥ、ＣＳＩ  ＲＥ、またはＨＡＲＱフィードバックＲＥである間
２．２．１．  ｌ＝ｍｏｄ（ｌ＋１，Ｌend−Ｌstart＋１）＋Ｌstart
２．３．終了
２．４．ＨＡＲＱフィードバック信号ｑACKをＲＥ（ｋ，ｌ）にマッピングする
２．５．  ｋ＝ｍｏｄ（ｋ＋ｄf，Ｍ）；ｌ＝ｍｏｄ（ｌ＋ｄt，Ｌend−Ｌstart＋１）＋Ｌstart；
２．６．  ｑACK＝ｑACK＋１
３．終了
【００８７】
[0092]  ２．１において、周波数方向および時間方向におけるステップサイズが決定される。わかるように、本明細書で説明される技法および装置は、１のステップサイズを使用することが、本明細書で説明される技法および装置にとって可能であるが、（たとえば、ｄfが、アップリンク共有チャネル中のサブキャリアの数、およびＨＡＲＱフィードバックのシンボルの数に少なくとも部分的に基づくので）１のステップサイズに限定されない。２．２において、ＵＥ１２０は、基準信号（たとえば、ＤＭＲＳまたはＰＴＲＳ）、ＣＳＩ、または別のＨＡＲＱフィードバック信号のためにすでに使用されているリソース要素をスキップすることを決定する。２．３において、ＨＡＲＱフィードバック信号は、対角パターンでリソース要素にマッピングされる。上述のように、他の周波数および時間リソースマッピング手法が使用され得、本明細書で説明される技法および装置は、対角リソースパターンを伴う技法および装置に限定されない。
【００８８】
[0093]  わかるように、ＨＡＲＱフィードバックの周波数方向におけるステップサイズ（たとえば、ｄf）は、ＨＡＲＱフィードバックの量に少なくとも部分的に基づき得る。ここで、ステップサイズは、アップリンク共有チャネル中のサブキャリアの数、およびＨＡＲＱフィードバックのシンボルの数に少なくとも部分的に基づく。さらに、ＨＡＲＱフィードバックは、周波数第１様式でマッピングされ、ｋ＝ｍｏｄ（ｋ＋ｄf，Ｍ）によって示され得る。
【００８９】
[0094]  上記のように、図７Ａおよび図７Ｂは、一例として与えられる。他の例が可能であり、図７Ａおよび図７Ｂに関して説明されたものとは異なり得る。
【００９０】
[0095]  図８は、本開示の様々な態様による、５ＧにおけるＵＣＩピギーバッキングを伴うＰＵＳＣＨを送信するためのシステム８００の一例を示す図である。システム８００は、上記で図２に関して説明されたＵＥ１２０の構成要素のうちの１つまたは複数を含み得る。
【００９１】
[0096]  図８に示されているように、エンコーダ構成要素（encoder component）８０５が通信を符号化（encode）し得る（図示せず）。その通信は、ＵＣＩ（たとえば、ＣＳＩ信号および／またはＨＡＲＱフィードバック信号）、および／またはＵＣＩがピギーバックされるべきであるアップリンク共有チャネルを含み得る。さらに示されているように、変調器構成要素（modulator component）８１０が、符号化された通信（encoded communication）を（たとえば、キャリア信号（carrier signal）上に）変調し得る。参照番号８１５によって示されているように、システム８００は、ＨＡＲＱフィードバックが２ビット超を含むかどうかに少なくとも部分的に基づいて、アップリンク共有チャネルの（たとえば、レートマッチング構成要素（rate matching component）８２０またはパンクチャリング構成要素（puncturing component）８２５による）レートマッチングを選択的に行い得る。たとえば、システム８００は、ＵＣＩ（たとえば、ＨＡＲＱフィードバック信号および／またはＣＳＩ信号）のための、アップリンク共有チャネルのリソースをレートマッチングまたはパンクチャし得る。
【００９２】
[0097]  さらに示されているように、ＵＣＩマッパ構成要素（mapper component）８３０が、図８に関してより詳細に説明されるように、ＵＣＩ（たとえば、ＣＳＩ信号および／またはＨＡＲＱフィードバック信号）をアップリンク共有チャネルのリソース要素にマッピングし得る。ＣＰ−ＯＦＤＭが使用されるときなど、いくつかの態様では、ＵＣＩは、物理サブキャリアなどのサブキャリアにマッピングされ得る。図８の場合のようにＤＦＴ−ｓ−ＯＦＤＭが使用されるときなど、いくつかの態様では、ＵＣＩは、ＤＦＴ拡散（spreading）が適用され、出力信号（output signal）が生成される前に、仮想サブキャリアに割り振られ得る。仮想サブキャリアは、たとえば、３ＧＰＰ技術仕様３６．２１１（たとえば、セクション５．３．３）において知られ、説明されている。たとえば、仮想サブキャリアは、インデックス値ｉに関連付けられ得、インデックス値ｉは、Ｍ個の複素数値シンボルｄ（０）,．．．,ｄ（Ｍsymb−１）の長さのための変調されたシンボルインデックスであり得る。これらは、
【００９３】
【数３】
2021503835.tif 000005
【００９４】
個のセットに分割され得、各々が１つのＳＣ−ＦＤＭＡシンボルに対応する。変換プリコーディングが、
【００９５】
【数４】
2021503835.tif 000006
【００９６】
に従って適用され得、
[0098]  複素数値シンボルｚ（０），．．．，ｚ（Ｍsymb−１）のブロックを生じる。変数
【００９７】
【数５】
2021503835.tif 000007
【００９８】
であり、ここで、
【００９９】
【数６】
2021503835.tif 000008
【０１００】
は、リソースブロックに関するＰＵＳＣＨの帯域幅を表し、
【０１０１】
【数７】
2021503835.tif 000009
【０１０２】
を満たすものとし、
[0099]  ここで、α2，α3，α5は非負整数のセットである。
【０１０３】
[00100]  ＤＦＴ構成要素８３５が、アップリンク共有チャネルの離散フーリエ変換（ＤＦＴ：discrete Fourier transform）拡散を行い得る。サブバンドマッピング構成要素（sub-band mapping component）８４０が、出力信号のサブバンド（sub-band）（たとえば、物理サブキャリア）にＤＦＴ拡散の出力をマッピングし得る。ＩＦＦＴ構成要素８４５が、送信のためにアップリンク共有チャネルまたは出力信号を準備するために、逆高速フーリエ変換（ＩＦＦＴ：inverse fast Fourier transform）を行い得る。送信機構成要素（送信機構成要素）８５０が、アップリンク共有チャネルまたは出力信号を送信し得る。
【０１０４】
[00101]  上記のように、図８は一例として与えられる。他の例が可能であり、図８に関して説明されたものとは異なり得る。
【０１０５】
[00102]  図９は、本開示の様々な態様による、たとえば、ＵＥによって行われる例示的なプロセス９００を示す図である。例示的なプロセス９００は、ＵＥ（たとえば、ＵＥ１２０）が５ＧにおけるＰＵＳＣＨへのＵＣＩピギーバッキングのためのリソース割振りを行う例である。
【０１０６】
[00103]  図９に示されているように、いくつかの態様では、プロセス９００は、周波数において分散される第１のリソース要素にチャネル状態情報（ＣＳＩ）をマッピングすることを含み得、ここにおいて、第１のリソース要素が、アップリンク共有チャネル上で割り振られるリソースのセット中にある（ブロック９１０）。たとえば、（たとえば、コントローラ／プロセッサ２８０、送信プロセッサ２６４、ＴＸ  ＭＩＭＯプロセッサ２６６、ＭＯＤ２５４、アンテナ２５２などを使用する）ＵＥは、周波数において分散される第１のリソース要素にＣＳＩをマッピングし得る。第１のリソース要素は、アップリンク共有チャネルのリソースのセット中に（たとえば、スロット中に）あり得る。いくつかの態様では、第１のリソース要素は、アップリンク共有チャネルの基準信号（たとえば、ＤＭＲＳ）の後に位置し得る。たとえば、第１のリソース要素は、基準信号の直後に位置し得る。いくつかの態様では、第１のリソース要素は、スロット中の他の場所に位置し得る。
【０１０７】
[00104]  図９に示されているように、いくつかの態様では、プロセス９００は、周波数において分散される第２のリソース要素にハイブリッド自動再送要求（ＨＡＲＱ）フィードバックをマッピングすることを含み得、ここにおいて、第２のリソース要素が、リソースのセット中にあり、ここにおいて、第２のリソース要素が、ＨＡＲＱフィードバックのために予約され、第１のリソース要素とは異なる（ブロック９２０）。たとえば、（たとえば、コントローラ／プロセッサ２８０、送信プロセッサ２６４、ＴＸ  ＭＩＭＯプロセッサ２６６、ＭＯＤ２５４、アンテナ２５２などを使用する）ＵＥは、アップリンク共有チャネルの第２のリソース要素にＨＡＲＱフィードバックをマッピングし得る。第２のリソース要素は、第１のリソース要素とは異なり得る。たとえば、第２のリソース要素は、第１のリソース要素に直交し得る。いくつかの態様では、第２のリソース要素は、ＨＡＲＱフィードバックのために予約され得る。これは、ＨＡＲＱフィードバックによるＣＳＩのパンクチャリングを防ぎ得る。いくつかの態様では、ＨＡＲＱフィードバックは、アップリンク共有チャネルのシンボルおよび周波数に関して対角パターンでマッピングされ、これは、ＨＡＲＱフィードバックの時間および周波数ダイバーシティを改善し、アップリンク共有チャネルに関するパンクチャリングの影響を低減する。いくつかの態様では、ＵＥは、第１のリソース要素にＣＳＩをマッピングする前に、第２のリソース要素にＨＡＲＱフィードバックをマッピングし得る。いくつかの態様では、ＵＥは、ＣＳＩをマッピングする前に、どのリソースがＨＡＲＱフィードバックのために予約されるかを決定し得る。
【０１０８】
[00105]  図９に示されているように、いくつかの態様では、プロセス９００は、マッピングに従って、アップリンク共有チャネル上でＣＳＩとＨＡＲＱフィードバックとを送信することを含み得る（ブロック９３０）。たとえば、（たとえば、コントローラ／プロセッサ２８０、送信プロセッサ２６４、ＴＸ  ＭＩＭＯプロセッサ２６６、ＭＯＤ２５４、アンテナ２５２などを使用する）ＵＥは、複数のＣＳＩ信号と複数のＨＡＲＱフィードバック信号とを含むアップリンク共有チャネルを送信し得る。このようにして、ＵＣＩは、ＵＣＩの周波数および時間ダイバーシティを維持しながら、アップリンク共有チャネルにピギーバックされる。さらに、アップリンク共有チャネルへのピギーバッキングの影響が低減される。
【０１０９】
[00106]  プロセス９００は、以下で説明される、および／または本明細書の他の場所で説明される１つまたは複数の他のプロセスに関する、単一の態様、および／または態様の任意の組合せなど、追加の態様を含み得る。
【０１１０】
[00107]  いくつかの態様では、アップリンク共有チャネルの第１のスロット境界が達せられ、対角パターンは、第１のスロット境界とは反対側にある、アップリンク共有チャネルの第２のスロット境界にラップアラウンドする。いくつかの態様では、第１のリソース要素は、アップリンク共有チャネルの基準信号の後に位置する。いくつかの態様では、第１のリソース要素は周波数において分散される。
【０１１１】
[00108]  いくつかの態様では、アップリンク共有チャネルが周波数ホッピングのために構成されないとき、複数のＣＳＩ信号は、第１のＣＳＩと第２のＣＳＩとを含み、ここにおいて、第１のＣＳＩは、第２のＣＳＩがマッピングされるリソース要素に隣接するリソース要素にマッピングされる。いくつかの態様では、複数のＣＳＩ信号は、第１のＣＳＩと第２のＣＳＩとを含み、アップリンク共有チャネルが周波数ホッピングのために構成されたとき、第１のＣＳＩは第１の周波数ホップにマッピングされ、第２のＣＳＩは第２の周波数ホップにマッピングされる。
【０１１２】
[00109]  いくつかの態様では、複数のＣＳＩ信号および複数のＨＡＲＱフィードバック信号は、アップリンク共有チャネルのデータシンボルをパンクチャする。いくつかの態様では、レートマッチングが、複数のＣＳＩ信号と複数のＨＡＲＱフィードバック信号とのために使用される。いくつかの態様では、対角パターンは、基準信号に関連するリソース要素をスキップする。
【０１１３】
[00110]  いくつかの態様では、第２のリソース要素は、アップリンク共有チャネルの基準信号の後にマッピングされる。いくつかの態様では、第１のリソース要素は周波数において分散される。いくつかの態様では、複数のＨＡＲＱフィードバック信号は、アップリンク共有チャネルのデータシンボルをパンクチャする。いくつかの態様では、レートマッチングが、複数のＣＳＩ信号と複数のＨＡＲＱフィードバック信号とのために使用される。いくつかの態様では、位相追跡基準信号を備える１つまたは複数のリソース要素が、第１のリソース要素から除外される。いくつかの態様では、第１のリソース要素と第２のリソース要素とは、それぞれのステップサイズに少なくとも部分的に基づいて周波数において分散され、ここにおいて、それぞれのステップサイズは、ＣＳＩとＨＡＲＱフィードバックとのそれぞれの量に少なくとも部分的に基づく。いくつかの態様では、ここにおいて、ＣＳＩをマッピングすることおよびＨＡＲＱフィードバックをマッピングすることが、周波数第１、時間第２の様式（frequency-first, time-second manner）で行われる。いくつかの態様では、第１のリソース要素と第２のリソース要素とは、ＨＡＲＱフィードバックがＣＳＩをパンクチャしないように直交する。
【０１１４】
[00111]  
[00112]  図９はプロセス９００の例示的なブロックを示すが、いくつかの態様では、プロセス９００は、図９に示されたものと比べて、追加のブロック、より少数のブロック、異なるブロック、または別様に構成されたブロックを含み得る。追加または代替として、プロセス９００のブロックのうちの２つまたはそれ以上が並列に行われ得る。
【０１１５】
[00113]  上記の開示は、例示および説明を与えるが、網羅的なものでもなく、開示された厳密な形態に態様を限定するものでもない。修正および変形が、上記の開示に照らして可能であるか、または態様の実施から得られ得る。
【０１１６】
[00114]  本明細書で使用される構成要素という用語は、ハードウェア、ファームウェア、またはハードウェアとソフトウェアの組合せとして広く解釈されるものとする。本明細書で使用されるプロセッサは、ハードウェア、ファームウェア、またはハードウェアとソフトウェアの組合せで実装される。
【０１１７】
[00115]  本明細書では、しきい値に関していくつかの態様が説明される。本明細書で使用されるしきい値を満たすことは、値が、しきい値よりも大きいこと、しきい値よりも大きいかまたはそれに等しいこと、しきい値よりも小さいこと、しきい値よりも小さいかまたはそれに等しいこと、しきい値に等しいこと、しきい値に等しくないことなどを指し得る。
【０１１８】
[00116]  本明細書で説明されるシステムおよび／または方法は、ハードウェア、ファームウェア、またはハードウェアとソフトウェアの組合せの異なる形態で実装され得ることが明らかであろう。これらのシステムおよび／または方法を実装するために使用される実際の特殊な制御ハードウェアまたはソフトウェアコードは、態様を限定するものではない。したがって、システムおよび／または方法の動作および挙動は、特定のソフトウェアコードと無関係に本明細書で説明され、ソフトウェアおよびハードウェアは、本明細書の説明に少なくとも部分的に基づいて、システムおよび／または方法を実装するように設計され得ることが理解される。
【０１１９】
[00117]  特徴の特定の組合せが特許請求の範囲において具陳されおよび／または本明細書で開示されたが、これらの組合せは、可能な態様の開示を限定するものではない。実際は、これらの特徴の多くは、詳細には、特許請求の範囲において具陳されずおよび／または本明細書で開示されない方法で、組み合わせられ得る。以下に記載される各従属請求項は、１つの請求項のみに直接従属することがあるが、可能な態様の開示は、特許請求の範囲中のあらゆる他の請求項と組み合わせた各従属請求項を含む。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１２０】
[00118]  本明細書で使用されるいかなる要素、行為、または命令も、明示的にそのように説明されない限り、重要または必須と解釈されるべきではない。また、本明細書で使用される冠詞「ａ（１つの）」および「ａｎ（１つの）」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ（ｏｎｅ）」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
【図１】
2021503835.tif 000010
【図２】
2021503835.tif 000011
【図３Ａ】
2021503835.tif 000012
【図３Ｂ】
2021503835.tif 000013
【図４】
2021503835.tif 000014
【図５】
2021503835.tif 000015
【図６】
2021503835.tif 000016
【図７Ａ】
2021503835.tif 000017
【図７Ｂ】
2021503835.tif 000018
【図８】
2021503835.tif 000019
【図９】
2021503835.tif 000020
【国際調査報告】
2021503835.tif 000021
2021503835.tif 000022